【事件の表示】
　特許第３０９４０１９号「遊技機」の請求項１乃至３に係る特許に対する特許異議の申立てについて、次のとおり決定する。
【結　論】
　特許第３０９４０１９号の請求項１乃至３に係る特許を取り消す。
【理　由】
１．手続の経緯
　
　特許第３０９４０１９号の発明についての出願は、平成４年４月３０日に出願した特願平４−１１１９７３号の一部を平成１０年４月１０日に新たな特許出願とした特願平１０−９９５３０号の一部を平成１０年５月１日に新たな特許出願とした特願平１０−１２２４３１号の一部を平成１１年４月３０日に新たな特許出願とした特願平１１−１２３９６５号の一部を平成１１年５月３１日に新たな特許出願とした特願平１１−１５０８１１号の一部を平成１１年６月３０日に新たな特許出願とした特願平１１−１８５９９７号に係るものであって、平成１２年７月２８日にその発明について特許権の設定登録がなされ、その後、菊池淑乃により特許異議の申立てがなされ、取消の理由の通知がなされ、その指定期間内である平成１３年８月２０日に意見書の提出がなされたものである。
　
２．特許異議の申立ての概要
　
　申立人菊池淑乃は、甲第１号証（特開平２−１２４１９１号公報）及び甲第２号証（実願昭６２−７９９９０号（実開昭６３−１８８０７７号）の願書に添付した明細書及び図面の内容を撮影したマイクロフィルム）を提出し、請求項１乃至３に係る発明の特許は特許法第２９条第１項第３号又は同法同条第２項の規定に違反してなされたものであるから、請求項１乃至３に係る発明の特許を取り消すべき旨主張している。
　
３．特許異議の申立てについての判断
　
３−１．本件特許の請求項１乃至３に係る発明
　本件特許の請求項１乃至３に係る発明（以下「本件発明１」乃至「本件発明３」という）は、特許請求の範囲の請求項１乃至３に記載された以下のとおりのものである。
「【請求項１】　遊技領域に遊技球を打込んで遊技が行なわれる遊技機であって、前記遊技領域に打込まれた遊技球が入賞可能な始動入賞口と、該始動入賞口へ入賞した始動入賞玉を検出する始動入賞玉検出手段と、前記遊技領域に設けられ、遊技者にとって有利な第１の状態と遊技者にとって不利な第２の状態とに変化可能な可変入賞球装置と、複数種類の識別情報を可変表示した後表示結果を導出表示可能であり、該表示結果が予め定められた特定の識別情報となったことを条件に前記可変入賞球装置を第１の状態に制御可能となるように定められた画像表示装置とを含み、該画像表示装置の表示結果が導出表示されてから所定期間経過したにもかかわらず前記始動入賞玉検出手段が始動入賞玉の検出を行なわなかった場合にデモンストレーション画像を前記画像表示装置に表示させる制御を行ない、前記始動入賞玉検出手段が始動入賞玉を検出した場合に、前記画像表示装置の表示結果を導出表示させるための可変表示動作を前記画像表示装置に行なわせる可変表示動作制御を行ない、その際に、前記デモンストレーション画像が前記画像表示装置に表示されている場合には、停止状態の識別情報を前記画像表示装置に表示させた後、前記可変表示動作を行なわせることを特徴とする、遊技機。
【請求項２】　前記遊技機の遊技状態を制御するとともに、前記画像表示装置を制御するための指令情報を出力する遊技制御手段と、前記出力されてきた指令情報に従って前記画像表示装置を表示制御するマイクロコンピュータを備えた可変表示制御手段とをさらに含み、前記遊技制御手段は、前記デモンストレーション画像を前記画像表示装置に表示させるためのデモンストレーション用指令情報を前記可変表示制御手段へ出力し、前記遊技制御手段と前記可変表示制御手段との間では、前記遊技制御手段から前記可変表示制御手段への一方向にのみデータが送信されることを特徴とする、請求項１に記載の遊技機。
【請求項３】　前記デモンストレーション用指令情報は、複数種類に定められており、前記遊技制御手段は、前記可変表示制御手段へ出力するデモンストレーション用指令情報の種類に応じて予め定められた表示時間だけ当該種類のデモンストレーション用指令情報に従ったデモンストレーション画像の表示を行なわせるように指令制御することを特徴とする、請求項２に記載の遊技機。」
　
３−２．引用刊行物に記載された発明
刊行物１：特開平２−１２４１９１号公報（甲第１号証）
刊行物２：実願昭６２−７９９９０号（実開昭６３−１８８０７７号）のマイクロフィルム（甲第２号証）
（１）刊行物１に記載された発明
　当審が通知した取消理由に引用された刊行物１には以下の事項が記載されている。
「複数の数字、文字、図柄等の記号を表示可能なドットマトリクス型の可変表示装置と、特定入賞口への打球の入賞に応じて可変表示装置の表示を送り更新する表示更新手段と、この送り更新を停止する表示停止手段と、送り更新停止時の表示記号の組み合わせによって通常遊技の態様から特別遊技の態様に変換する変動入賞装置とを備えると共に、遊技中でないときにあるいは通常遊技中でも前記特定入賞口に一定時間打球の入賞がないときに、前記可変表示装置にメッセージや動画等を表示する呼び込み表示手段を設けたことを特徴とするパチンコ機。」（特許請求の範囲）、
「また、ドットマトリクス型の可変表示装置１０１により、遊技状態に応じてメッセージや動画等の呼び込み表示が可能となり、このためパチンコ機としての興趣が増し、当該パチンコ機ならびに当該パチンコ機を配置した島設備全体を華やかに彩ることができ、パチンコ機を選ぶときに遊技者を十分に引きつけることができる。また、呼び込み表示は遊技中でないときあるいは通常遊技中でも特定入賞口へ一定時間打球の入賞がないときに行うため、遊技に支障をきたすことはない。」（第２頁右上欄第９〜１８行）、
「特定入賞口６ａ，６ｂ，６ｃにはそれぞれ入賞球を検出するスイッチ（特定入賞球検出スイッチ）２１ａ，２１ｂ，２１ｃが設けられる。」（第２頁右下欄第６〜９行）、
「第１４図は制御系のブロック構成を示すもので、制御装置７６はＣＰＵ７７、ＲＯＭ７８、ＲＡＭ７９、バッファゲート、出力ポートならびにＲＯＭ７８とは別の外部フォントＲＯＭ８０ａ、８０ｂ等からなるマイクロコンピュータにて構成される。・・・また、外部に接続した外部フォントＲＯＭ８０ａ、８０ｂにはメッセージや動画等の付加表示データが格納され、出力ポートを介してイネーブルされると、切替回路により外部フォントＲＯＭ８０ａ、８０ｂは出力ポートから送られるアドレスに応じてメモリの所定の付加表示データをデジタル４４に出力する。」（第４頁右上欄第８行〜同頁左下欄第１２行）、
「呼び込み表示制御は電源投入時及び普段動作時に、ディスプレイ制御は大当たり時に第２２図（Ａ）、（Ｂ）にて実行されるもので、・・・第３１図に呼び込み表示の例を示す。」（第９頁右上欄第２行〜同頁右下欄第１２行）、
「呼び込み表示では、マイクロコンピュータの外部フォントＲＯＭ８０ａ、８０ｂに記憶した付加表示データに基づき、第３１図のように“イラッシャイマセ！”、“おじぎパターン”、“ヨウコソ……”、“円盤”、“リムジンＰ−７……”等のメッセージや動画が表示され、これは遊技者により遊技が始められるまで（遊技部３に発射された打球が特定入賞口６ａ〜６ｃに入賞するまで）、定期的に（呼び込み表示の前後でデジタル４４に遊技用の図柄の伸び縮み表示が２分間づつ行われる）行われる（第１７図の１．２４、第２１図（Ａ））。」（第１２頁左上欄第８〜１９行）、
「遊技が始められ遊技部３に発射された打球がうまく特定入賞口６ａ〜６ｃに入賞すると、デジタル４４の図柄が回転を始め」（第１２頁右上欄第４〜６行）、
「デジタル４４ａ〜４４ｃが停止し、停止図柄が当たりでなければ、外れ動作時間経過後にデジタル４４ａ〜４４ｃ等が普段表示に戻り、デジタル４４ａ〜４４ｃに停止図柄が第２８図（Ａ）〜（ｃ）のように伸び縮み表示されるが（第２１図（Ｄ）の４．１５１〜４．１５３）、この外れ動作終了から普段動作が連続して２分以上続くとつまりデジタル４４が回転されないと、再びデジタル４４により呼び込み表示が行われる（第２１図（Ａ）、第２２図（Ａ））。・・・なお、呼び込み表示は特定入賞口６ａ〜６ｃに打球が入賞すると中止される。」（第１３頁左上欄第２０行〜同頁右上欄第１５行）、
「第１４図に記載された制御系のブロック構成」（第１４図）及び
「第３１図に記載された呼び込み表示の例」（第３１図）。
　上記摘記した事項、特に「呼び込み表示制御は・・・第３１図に呼び込み表示の例を示す。」の記載（第９頁右上欄第２行〜同頁右下欄第１２行）、「呼び込み表示では、マイクロコンピュータの外部フォントＲＯＭ８０ａ、８０ｂに記憶した付加表示データに基づき、第３１図のように“イラッシャイマセ！”、“おじぎパターン”、“ヨウコソ……”、“円盤”、“リムジンＰ−７……”等のメッセージや動画が表示され、・・・行われる（第１７図の１．２４、第２１図（Ａ））。」（第１２頁左上欄第８〜１９行）及び上記呼び込み表示の例（第３１図）からみて、上記呼び込み表示の際に上記可変表示装置に表示されるメッセージや動画等は複数種類あり、上記メッセージや動画等の各々は予め定められた時間上記可変表示装置に表示されると認められる。
　以上のとおりであるから、刊行物１には以下の発明が記載されている。
「パチンコ機であって、特定入賞口と、該特定入賞口に入賞した入賞球を検出する特定入賞球検出スイッチと、複数の数字、文字、図柄等の記号を表示可能なドットマトリクス型の可変表示装置と、前記特定入賞口への打球の入賞に応じて可変表示装置の表示を送り更新する表示更新手段と、この送り更新を停止する表示停止手段と、送り更新停止時の表示記号の組み合わせによって通常遊技の態様から特別遊技の態様に変換する変動入賞装置とを備え、前記送り更新の停止から前記特定入賞口に一定時間打球の入賞がないときに、前記可変表示装置に複数種類のメッセージや動画等を各々予め定められた時間表示する呼び込み表示手段を設け、該呼び込み表示は前記特定入賞口に打球が入賞すると中止される、パチンコ機。」
（２）刊行物２について
　当審が通知した取消理由に引用された刊行物２には以下の事項が記載されている。
「縦横に複数のＬＥＤ素子を配列した表示基板を第１基板の前面に添設すると共に、上記第１基板にはチップ素子を配設して電気回路を形成し、第２基板にはＭＣＵを有する処理部を形成すると共に、該第２基板にはパチンコ機の制御装置に連絡可能な外部接続端子を設け、上記第１基板と第２基板とを電気的に接続したことを特徴とする遊技機の表示装置。」（実用新案登録請求の範囲）、
「パチンコ機などの遊技機には」（第１頁第１９行）、
「本考案に係る表示装置１は、例えば第４図に示すようなブロック回路を有する制御装置１６によって制御される。しかし、本考案では表示装置１自体も処理部６を有しているので、制御装置１６のメインＭＣＵ１７の負担が軽くなると共に、配線接続が極めて簡単になる。即ち、メインＭＣＵ１７はセンター役物１８などに設けた継続スイッチ１９、１０カウントスイッチ２０、始動口スイッチ２１、駆動ソレノイド２２、あるいは電子音発生回路２３、ランプ表示器２４などを制御し、一方、本考案に係る表示装置１が内蔵する処理部６はメイン回路からデータ及びリセット信号を受け取って、表示基板４に配列した各ＬＥＤ素子９を制御して所定の図柄、文字などを表示する。」（第５頁第１４行〜第６頁第７行）、
「本考案によれば、データ４本、電源２本、リセット１本、割込１本、制御信号（８ビットの上下、明暗、桁選択）３本の計１１本の配線で足りるが、従来のようにメインＭＣＵ１７に頼る場合には少なくとも４０本の配線が必要である。・・・表示装置１に内蔵した処理部６では第５図のフローチャートに示すように、・・・ノンマスカブルイントラプト（ＮＭＩ）により入力された上下４ビットデータを８ビットデータに変換し、フリーランニングカウンタをリセットし、上記８ビットデータを図柄データに変換して、各ポートに明暗情報として出力し、・・・復帰する。」（第６頁第１２行〜第７頁第１６行）、
「第３図に記載された表示装置に設けた回路のブロック図の態様」（第３図）及び
「第４図に記載された制御装置のブロック図の態様」（第４図）。
　上記摘記した事項、特に「本考案に係る表示装置１が内蔵する処理部６はメイン回路からデータ及びリセット信号を受け取って、表示基板４に配列した各ＬＥＤ素子９を制御して所定の図柄、文字などを表示する。」の記載（第６頁第３〜7行）、「本考案によれば、データ４本、電源２本、リセット１本、割込１本、制御信号（８ビットの上下、明暗、桁選択）３本の計１１本の配線で足りる」の記載（第６頁第１２〜１５行）、上記表示装置に設けた回路のブロック図の態様（第３図）及び上記制御装置のブロック図の態様（第４図）からみて、上記制御装置と上記表示装置の処理部との間では、上記制御装置から上記表示承知の処理部への一方向にのみ上記データ及び制御信号が送信されると認められる。
　以上のとおりであるから、刊行物２には以下の発明が記載されている。
「パチンコ機であって、制御装置と、該制御装置からデータ及び制御信号を受け取って、表示基板に配列した各ＬＥＤ素子を制御して所定の図柄、文字などを表示する、ＭＣＵを有する処理部を備える表示措置とを含み、上記制御装置と上記表示装置の処理部との間では、上記制御装置から上記表示承知の処理部への一方向にのみ上記データ及び制御信号が送信されるパチンコ機。」
　
３−３．対比・判断
（１）本件発明１について
　本件発明１と刊行物１に記載された発明を比較すると、刊行物１に記載された発明の「パチンコ機」、「特定入賞口」、「特定入賞口に入賞した入賞球を検出する特定入賞球検出スイッチ」、「送り更新停止時の表示記号の組み合わせによって通常遊技の態様から特別遊技の態様に変換する変動入賞装置」、「複数の数字、文字、図柄等の記号」、「可変表示装置の表示を送り更新」、「送り更新を停止」、「可変表示装置」、「複数種類のメッセージや動画等」、「送り更新の停止から特定入賞口に一定時間打球の入賞がないときに、可変表示装置に複数種類のメッセージや動画等を各々予め定められた時間表示する呼び込み表示手段を設け」及び「特定入賞口への打球の入賞に応じて可変表示装置の表示を送り更新する表示更新手段と、この送り更新を停止する表示停止手段とを備え」は、各々、本件発明１の「遊技領域に遊技球を打込んで遊技が行なわれる遊技機」、「遊技領域に打込まれた遊技球が入賞可能な始動入賞口」、「始動入賞口へ入賞した始動入賞玉を検出する始動入賞玉検出手段」、「遊技領域に設けられ、遊技者にとって有利な第１の状態と遊技者にとって不利な第２の状態とに変化可能な可変入賞球装置」、「複数種類の識別情報」、「複数種類の識別情報を可変表示」、「可変表示した後表示結果を導出表示」、「画像表示装置」、「デモンストレーション画像」、「画像表示装置の表示結果が導出表示されてから所定期間経過したにもかかわらず始動入賞玉検出手段が始動入賞玉の検出を行なわなかった場合にデモンストレーション画像を画像表示装置に表示させる制御を行ない」及び「始動入賞玉検出手段が始動入賞玉を検出した場合に、画像表示装置の表示結果を導出表示させるための可変表示動作を前記画像表示装置に行なわせる可変表示動作制御を行ない」に相当する。
　刊行物１に記載された発明の上記変動入賞装置は、上記可変表示装置の表示の送り更新が停止された時に該可変表示装置に表示された記号の組み合わせによって通常遊技の態様から特別遊技の態様に変換される。したがって刊行物１に記載された発明の「可変表示装置」は、本件発明１の「画像表示装置」と「表示結果が予め定められた特定の識別情報となったことを条件に可変入賞球装置を第１の状態に制御可能となるように定められた」点においても一致している。
　そして刊行物１に記載された発明において、上記特定入賞口に打球が入賞して上記呼び込み表示が中止されると、上記可変表示装置の表示の送り更新が開始されるのは明らかである。
　したがって、本件発明１と刊行物１に記載された発明は、「遊技領域に遊技球を打込んで遊技が行なわれる遊技機であって、前記遊技領域に打込まれた遊技球が入賞可能な始動入賞口と、該始動入賞口へ入賞した始動入賞玉を検出する始動入賞玉検出手段と、前記遊技領域に設けられ、遊技者にとって有利な第１の状態と遊技者にとって不利な第２の状態とに変化可能な可変入賞球装置と、複数種類の識別情報を可変表示した後表示結果を導出表示可能であり、該表示結果が予め定められた特定の識別情報となったことを条件に前記可変入賞球装置を第１の状態に制御可能となるように定められた画像表示装置とを含み、該画像表示装置の表示結果が導出表示されてから所定期間経過したにもかかわらず前記始動入賞玉検出手段が始動入賞玉の検出を行なわなかった場合にデモンストレーション画像を前記画像表示装置に表示させる制御を行ない、前記始動入賞玉検出手段が始動入賞玉を検出した場合に、前記画像表示装置の表示結果を導出表示させるための可変表示動作を前記画像表示装置に行なわせる可変表示動作制御を行なうことを特徴とする、遊技機。」である点で一致し、（１）上記始動入賞玉検出手段が始動入賞玉を検出して上記可変表示動作制御を行なう際にデモンストレーション画像が上記画像表示装置に表示されている場合には、前者は、停止状態の識別情報を上記画像表示装置に表示させた後、上記可変表示動作を行なわせるのに対し、後者は、停止状態の識別情報を上記画像表示装置に表示させることなく、上記可変表示動作を行なわせる点で相違する。
　そこで、上記相違点について検討する。
　刊行物１に記載された発明において、上記画像表示装置に導出表示された表示結果が上記特定の識別情報でない場合、上記画像表示装置は、該表示結果である停止状態の識別情報を引き続き表示する。したがって当該状態において上記始動入賞玉が検出されると、上記画像表示装置は、停止状態の識別情報を表示した状態から上記可変表示動作を開始する。
　してみると刊行物１に記載された発明において、上記相違点（１）に係る本件発明１の構成を採用することは、上記画像表示装置が上記可変表示動作を開始する態様を、該可変表示動作を開始する際に上記デモンストレーション画像が上記画像表示装置に表示されているか否かに係わらず、同一とすることに他ならず、この点に当業者が容易に想到し得ない程の格別の困難性は認められない。
　そして刊行物１に記載された発明において、上記可変表示動作制御は、上記デモンストレーション画像が上記画像表示装置に表示している場合でも、同画像が表示されていない場合と同じである。さらに上記可変表示動作が開始される態様を常に同じくすれば、該動作が常に同じ上記可変表示動作制御により制御されていることを遊技者に報知し得ることは当業者が当然想到し得る事項である。したがって、本件発明１が奏する効果に刊行物１に記載された発明が奏する効果以上の顕著なものは認められない。
　よって本件発明１は、刊行物１に記載された発明に基づいて当業者が容易に発明をすることができたものである。
　なお平成１３年８月２０日付けの特許異議意見書第５頁第３〜１８行に記載された特許権者の主張は、本件特許の特許請求の範囲の記載に基づいた主張とは認められない。
（２）本件発明２について
　本件発明２は、本件発明１において「遊技機の遊技状態を制御するとともに、画像表示装置を制御するための指令情報を出力する遊技制御手段と、前記出力されてきた指令情報に従って前記画像表示装置を表示制御するマイクロコンピュータを備えた可変表示制御手段とをさらに含み、前記遊技制御手段は、デモンストレーション画像を前記画像表示装置に表示させるためのデモンストレーション用指令情報を前記可変表示制御手段へ出力し、前記遊技制御手段と前記可変表示制御手段との間では、前記遊技制御手段から前記可変表示制御手段への一方向にのみデータが送信される」ことを特徴としたものである。
　本件発明１については、既に上記３−３．（１）で検討した。
　したがって本件発明２と刊行物１に記載された発明を比較すると、両者は、上記相違点（１）に加えて、（２）前者が、上記遊技機の遊技状態を制御するとともに、上記画像表示装置を制御するための指令情報を出力する遊技制御手段と、上記出力されてきた指令情報に従って上記画像表示装置を表示制御するマイクロコンピュータを備えた可変表示制御手段とを含み、上記遊技制御手段は、上記デモンストレーション画像を上記画像表示装置に表示させるためのデモンストレーション用指令情報を上記可変表示制御手段へ出力し、上記遊技制御手段と上記可変表示制御手段との間では、上記遊技制御手段から上記可変表示制御手段への一方向にのみデータが送信されるのに対し、後者は、１つＣＰＵを有するマイクロコンピュータにより上記パチンコ機の遊技状態及び上記可変表示装置の表示が制御されている点で相違し、その他の点では一致している。
　そこで、上記相違点について検討する。
　相違点（１）については既に上記３−３．（１）で検討した。
　相違点（２）について検討する。本件発明２と刊行物２に記載された発明を比較すると、刊行物２に記載された発明の「データ及び制御信号」、「制御装置」及び「該制御装置からデータ及び制御信号を受け取って、表示基板に配列した各ＬＥＤ素子を制御して所定の図柄、文字などを表示する、ＭＣＵを有する処理部」は、各々、本件発明２の「画像表示装置を制御するための指令情報」、「遊技機の遊技状態を制御するとともに、画像表示装置を制御するための指令情報を出力する遊技制御手段」及び「出力されてきた指令情報に従って上記画像表示装置を表示制御するマイクロコンピュータを備えた可変表示制御手段」に相当する。したがって刊行物２に記載された発明は、上記相違点（２）に係る本件発明２の構成のうち、「遊技機の遊技状態を制御するとともに、画像表示装置を制御するための指令情報を出力する遊技制御手段と、上記出力されてきた指令情報に従って上記画像表示装置を表示制御するマイクロコンピュータを備えた可変表示制御手段とを含み、上記遊技制御手段と上記可変表示制御手段との間では、上記遊技制御手段から上記可変表示制御手段への一方向にのみデータが送信される」を備えているものと認められる。
　そうすると、刊行物１に記載された発明と刊行物２に記載された発明は、パチンコ機という同一の技術分野に属するから、前者に後者を適用することは当業者が容易になし得る事項である。そして刊行物１に記載された発明に刊行物２に記載された発明を適用すれば、上記制御装置は上記デモンストレーション画像に対応する上記データ及び制御信号を上記ＭＣＵを有する処理部に出力することは明らかであって、該「デモンストレーション画像に対応するデータ及び制御信号」は、本件発明２の「デモンストレーション用指令情報」に相当する。したがって刊行物１に記載された発明において、相違点（２）に係る本件発明２の構成を採用することは、刊行物２に記載された発明に基づき当業者が容易になし得る事項である。
　そして、本件発明２が奏する効果に刊行物１及び２に記載された発明が奏する効果の総和以上の顕著なものは認められない。
　よって本件発明２、は刊行物１及び２に記載された発明に基づいて当業者が容易に発明をすることができたものである。
（３）本件発明３について
　本件発明３は、本件発明２において「デモンストレーション用指令情報は、複数種類に定められており、遊技制御手段は、可変表示制御手段へ出力するデモンストレーション用指令情報の種類に応じて予め定められた表示時間だけ当該種類のデモンストレーション用指令情報に従ったデモンストレーション画像の表示を行なわせるように指令制御する」ことを特徴としたものである。
　本件発明２については、既に上記３−３．（２）で検討した。
　そして刊行物１に記載された発明は、複数種類の上記デモンストレーション画像を各々予め定められた時間上記画像表示装置に表示する。したがって刊行物１に記載された発明に刊行物２に記載された発明を適用すれば、上記デモンストレーション画像に対応するデータ及び制御信号が複数種類定められるとともに、上記制御装置は上記デモンストレーション画像に対応するデータ及び制御信号の種類に応じて予め定められた表示時間だけ当該種類のデータ及び制御信号に従ったデモンストレーション画像の表示を行なわせるように指令制御することは明らかである。
　さらに、本件発明３が奏する効果に刊行物１及び２に記載された発明が奏する効果の総和以上の顕著なものは認められない。
　よって本件発明３は、刊行物１及び２に記載された発明に基づいて当業者が容易に発明をすることができたものである。
　
３−４．むすび
　以上のとおりであるから、本件発明１乃至３は、特許法第２９条第２項の規定により特許を受けることができない。
　したがって、本件発明１乃至３についての特許は拒絶の査定をしなければならい特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月２８日（２００１．９．２８）